(57)【特許請求の範囲】
【請求項１】
電源側又は負荷側の電線を挿入するための複数の電線挿入部を底部に設けるとともに、壁面に固定された電力量計用端子ブロックであって、
前記壁面に対向する当該電力量計用端子ブロックの対向面の一部に突出して設けられ、前記壁面に接触して当該電力量計用端子ブロックを固定する１以上の固定部を備え、
当該電力量計用端子ブロックの対向面のうちの前記固定部以外の領域は、前記壁面から所定の距離離間して構成されたことを特徴とする電力量計用端子ブロック。
【請求項２】
前記対向面の水平方向両端に設けられた２つの前記固定部によりブリッジ形状を形成することを特徴とする請求項１記載の電力量計用端子ブロック。
【請求項３】
前記２つの固定部の間の距離は、当該電力量計用端子ブロックの底部において長手方向に配置された前記複数の電線挿入部の両端間の距離よりも長いことを特徴とする請求項２記載の電力量計用端子ブロック。
【請求項４】
当該電力量計用端子ブロックの底部に設けられ、前記複数の電線挿入部と前記対向面の最下部との間に形成された防水用溝部を有することを特徴とする請求項１乃至請求項３のいずれか１項記載の電力量計用端子ブロック。
【請求項５】
前記防水用溝部は、当該電力量計用端子ブロックが前記対向面の水平方向両端に設けられた２つの前記固定部によりブリッジ形状を形成している場合において、長手方向における幅が前記２つの固定部の間の距離よりも長いことを特徴とする請求項４記載の電力量計用端子ブロック。
【発明の詳細な説明】
【技術分野】
【０００１】
本発明は、被測定系の使用電力量を測定する電力量計に用いられる電力量計用端子ブロックに関する。
【背景技術】
【０００２】
電力量計は、電力会社からの電力が導かれる電源側電線と、一般家庭や工場、事業所等の需要家側に電力を導く負荷側電線との間に介在し、需要家の電気使用量を計量する。電力量計により計量された電気使用量は、電力会社と需要家との間で電力料金の取引に用いられる。
【０００３】
電力量計は、使用環境によって異なる耐候性能を要求される。雨線外のような直接雨がかかる条件での使用を前提とした強化耐候型電力量計は、筐体を構成する部品（ベース）にガード部を設けることにより、電力量計の端子ブロックの防水性及び絶縁性を保つ。
【０００４】
図４は、従来の電力量計の構成を示す三面図である。ここで、図４（ａ）は従来の電力量計の正面図であり、図４（ｂ）は側面図であり、図４（ｃ）は底面図である。また、図５は、図４（ａ）に示すＢＢ´線で切断した場合の断面を示す図である。
【０００５】
従来の電力量計は、図４に示すように電力量計本体１と端子ブロック２とが一体的に構成され、金属材料により構成されたガード部３を含む筐体（ベース）に収納されている。運用時において、端子ブロック２は、前面を端子カバーで覆うことにより、前面から降りかかる雨等による絶縁抵抗の低下を防止し、防水性及び絶縁性を保つことができる。
【０００６】
しかしながら、端子ブロック２の底面に設けられた複数の電線挿入部５は、電源側又は負荷側への電線を挿入するために外部に対して開口しているため、電線挿入部５に対する防水を目的とした対策が必要となる。金属材料の加工による筐体を構成するベースは、電力量計本体１と端子ブロック２を一体型に構成するとともに、端子ブロック２の周囲を囲うように構成されたガード部３を有する。このガード部３は、端子ブロック２の底部よりも下方に延びるように構成されることにより、壁面と電力量計との間を伝う水分から電線挿入部５を保護する役割を担う。
【０００７】
仮にガード部３を有さない構成であるとすると、電力量計を壁面（計器取付面４）に固定して設置した場合に、計器取付面４と電力量計の背面との間を伝う雨水等の水分は、毛細管現象等により電力量計の最下部から端子ブロック２の底面を伝い電線挿入部５に浸入する可能性があり、絶縁抵抗を低下させて正確な電力量の測定を困難にするばかりでなく、短絡事故を誘発する可能性すらある。したがって、電力量計に対する防水対策は、極めて重要である。
【０００８】
需要家の電力の使用量を測定する電力量計は、電力料金の取引に使用されるものであるところ、計量法を根拠とする検定制度により使用可能な期間が定められており、使用可能期間を経過すると交換することが必要とされる。そこで、近年では交換作業の作業性や安全性を考慮し、電力量計本体と端子ブロックとが分離する構成を有する電力量計がみられる。
【０００９】
特許文献１には、交換時の作業を容易にすることができる電力量計が記載されている。この電力量計は、被測定系の電流を検出する電流検出手段に接続された電流線と、電圧検出手段に電気的接続された弾性を有する電圧ピンと、電圧検出手段の検出信号と電流検出手段の検出信号を乗算して被測定系の消費電力を測定する電力演算手段とを具備した電力測定部と、電流線をネジ止め固定する電流線固定手段と、電圧ピンと接触にて電気的接続を行う電圧ピン係合手段と、外部から接続される導線をネジ止め固定する導線固定手段と、導線固定手段で固定された導線、電流線固定手段で固定された電流線、ならびに電圧ピン係合手段で係合された電圧ピンとを電気的に接続する導電手段とを具備した端子部とを有する。
【００１０】
この電力量計によれば、少ない本数のネジの着脱にて電力測定ユニットの交換を行うことができ、端子ブロックに設けられたガイドピンと電力測定ユニットに設けられたガイド穴が、端子ブロックと電力測定ユニットの取付位置関係を決めるので、取付作業が行い易い。また、この電力量計は、袋状の構造を有する筐体が電力測定ユニット及び端子部をカバーすることにより、雨水の浸入を防止して耐候性を確保することができる。
【特許文献１】特開２００７−８５９４７号公報
【発明の開示】
【発明が解決しようとする課題】
【００１１】
しかしながら、近年の電子式電力量計のシェア拡大に伴い、顧客からの要求として低コスト化及び筐体におけるデザイン性が求められる。これまでの金属材料の加工による筐体では、低コスト、デザイン性付与は実現が困難であり、プラスチック材料の使用が必要とされている。特に、近年使用される電力量計本体と端子ブロックとが分離した構成の電力量計は、上述したように使用可能期間を経過した際に電力量計本体のみが交換され、壁面には端子ブロックのみが固定されることとなり、交換の手間を省く利点を有するところ、ガード部を有するベースを筐体として使用する場合には、結局端子ブロックごと壁面から外す必要があることとなり、分離型としての利点を活かすことができない。また、端子ブロック専用のガード部を金属材料で用意することは、低コスト化の趣旨に反する。
【００１２】
また、端子ブロックの材料を使用して従来のガード部に該当する部分を製作することも考えられるが、雨やホース等による散水に対する防水性や絶縁性を確保するためのガード部と同様の形状を製作することは、筐体の部品構成及び材料の剛性から実現が困難とされる。すなわち、端子ブロックに使用される材質は、寿命や耐トラッキング性を考慮に入れ、プラスチック等の樹脂が使用されるが、従来の電力量計に使用されるガード部のような薄い形状には不向きであり、容易に折れやすいといった問題がある。
【００１３】
本発明は上述した従来技術の問題点を解決するもので、プラスチック材料による低コスト及びデザイン性付与を可能にするとともに、電線挿入部に対する防水性を確保した電力量計用端子ブロックを提供することを課題とする。
【課題を解決するための手段】
【００１４】
本発明に係る電力量計用端子ブロックは、上記課題を解決するために、電源側又は負荷側の電線を挿入するための複数の電線挿入部を底部に設けるとともに、壁面に固定された電力量計用端子ブロックであって、前記壁面に対向する当該電力量計用端子ブロックの対向面の一部に突出して設けられ、前記壁面に接触して当該電力量計用端子ブロックを固定する１以上の固定部を備え、当該電力量計用端子ブロックの対向面のうちの前記固定部以外の領域は、前記壁面から所定の距離離間して構成されたことを特徴とする。
【発明の効果】
【００１５】
本発明によれば、プラスチック材料による低コスト及びデザイン性付与を可能にするとともに、電線挿入部に対する防水性を確保することができる。
【発明を実施するための最良の形態】
【００１６】
以下、本発明の電力量計用端子ブロックの実施の形態を、図面に基づいて詳細に説明する。
【実施例１】
【００１７】
以下、本発明の実施例について図面を参照しながら説明する。図１は本発明の実施例１の電力量計用端子ブロック１０の構成を示す三面図である。ここで、図１（ａ）は電力量計用端子ブロック１０の正面図であり、図１（ｂ）は側面図であり、図１（ｃ）は底面図である。また、図２は、図１（ａ）に示すＡＡ´線で切断した場合の断面を示す図である。
【００１８】
まず、本実施の形態の構成を説明すると、本実施の形態に係る電力量計用端子ブロック１０は、図１に示すように、電源側又は負荷側の電線を挿入するための複数（本実施例においては６つ）の電線挿入部１４を底部に設けるとともに、壁面である計器取付面２０に固定される。具体的には、電力量計用端子ブロック１０は、固定用穴１２を利用してネジ止めにより固定部１５を介して需要家の壁面（計器取付面２０）に取り付けられ、固定される。
【００１９】
電力量計用端子ブロック１０は、プラスチック等の絶縁性の高い樹脂により構成される。また、底部に設けられた複数の電線挿入部１４は、導電性の金属を内部に備え、外部からの配電線が接続されネジ止めされる。
【００２０】
固定部１５は、計器取付面２０に対向する電力量計用端子ブロック１０の対向面１７の一部に突出して設けられ、計器取付面２０に接触して電力量計用端子ブロックを固定する。本実施例において、固定部１５は、図１に示すように、対向面１７の水平方向両端に２つ設けられている。したがって、電力量計用端子ブロック１０は、図１（ｃ）に示すように全体としてブリッジ形状を形成する。
【００２１】
なお、固定部１５は、本発明を実現するためには必ずしも２つとは限らず、１つ以上設けられていればよい。例えば、電力量計用端子ブロック１０は、ブリッジ形状ではなく、４本足のテーブルのような形状でもよい。その場合において、当該４本足部分は、４つの固定部１５に該当し、壁面に接触して電力量計用端子ブロック１０を固定する。
【００２２】
電力量計用端子ブロックの対向面１７のうちの固定部１５以外の部分の領域は、計器取付面２０から所定の距離離間して構成される。例えば本実施例における電力量計用端子ブロック１０は、ブリッジ形状を有しているため、図１（ｂ）に示すように固定部１５を計器取付面２０に接触させてネジ止めしている。しかしながら、対向面１７のうちの固定部１５以外の部分の領域は、図２に示すように計器取付面２０から所定の距離離間して構成される。仮に、上述したような４本足のテーブルのような形状を採用した端子ブロックの場合には、壁面に対向する対向面のうちの４本足以外の部分の領域は、壁面から所定の距離離間して構成されることとなる。
【００２３】
また、２つの固定部１５の間の距離Ｌ１は、電力量計用端子ブロック１０の底部において長手方向に配置された複数の電線挿入部１４の両端間の距離よりも長い。
【００２４】
さらに、電力量計用端子ブロック１０は、電線挿入部１４の周囲に水切りの役目を果たす凹部である防水用溝部１６を備える。この防水用溝部１６は、電力量計用端子ブロック１０の底部に凹型の形状に設けられ、複数の電線挿入部１４と対向面１７の最下部１８との間に形成されている。また、防水用溝部１６は、本実施例においては図１（ｃ）に示すように直線の溝を形成するものであるが、必ずしも直線とは限らず例えばジグザグ型の形状を構成するものでもよく、複数の電線挿入部１４と対向面１７の最下部１８との間に形成されていればよい。
【００２５】
また、防水用溝部１６は、本実施例のように電力量計用端子ブロック１０が対向面１７の水平方向両端に設けられた２つの固定部１５によりブリッジ形状を形成している場合において、長手方向における幅Ｌ２が２つの固定部１５の間の距離Ｌ１よりも長くなるように構成されている。
【００２６】
図３は、本発明の実施例１の電力量計用端子ブロック１０に電力量計本体３０を取り付けた場合の正面図である。需要家の電力の使用量を測定する電力量計は、図３に示すように本発明の電力量計用端子ブロック１０に電力量計本体３０を取り付け、電力量計用端子ブロック１０の前面に図示されない端子カバーを被せた構成で使用される。その際に、電力量計本体３０は、電力量計用端子ブロック１０の底部に設けられた複数の電線挿入部１４を介して、外部から供給される電圧及び負荷側で使用される電流を検出し、乗算して使用電力量を測定する。
【００２７】
上述したように、電力量計本体３０は、計量法を根拠とする検定制度により一定期間が経過すると交換される。その際、端子ブロック１０は、計器取付面２０から外す必要は無く、効率的に作業を行うことができる。
【００２８】
次に、上述のように構成された本実施の形態の電力量計用端子ブロック１０の作用を説明する。まず、雨やホース等の散水により計器取付面２０に水分が付着した場合を考える。本実施例の電力量計用端子ブロック１０は、対向面１７の水平方向両端に設けられた２つの固定部１５により全体としてブリッジ形状を形成している。したがって、電力量計用端子ブロックの対向面１７のうちの固定部１５以外の部分の領域は、図２に示すように計器取付面２０から所定の距離離間して構成されている。計器取付面２０に付着した水２２は、計器取付面２０と電力量計用端子ブロック１０の対向面１７との間が広いため、毛細管現象を生じることなく自重により下方に抜け易い。したがって、本実施例における電力量計用端子ブロック１０の有する構造は、水２２が対向面１７及び底面を伝って電線挿入部１４に入り込むのを防止することができる。なお、計器取付面２０と電力量計用端子ブロックの対向面１７との間の所定の距離は、水２２が毛細管現象を生じて電力量計用端子ブロック１０の底面に回りこむ可能性の低い距離が好ましく、例えば２ｍｍ以上である。電力量計用端子ブロック１０の形状として４本足のテーブルのような形状を採用した場合にも同様であり、４本足以外の対向面を壁面から所定の距離（例えば２ｍｍ以上）離間させる。
【００２９】
また、２つの固定部１５の間の距離Ｌ１は、電力量計用端子ブロック１０の底部において長手方向に配置された複数の電線挿入部１４の両端間の距離よりも長くなるように構成されているので、複数の電線挿入部１４に対する水２２の回り込みを防止する。すなわち、固定部１５と計器取付面２０との間のわずかな隙間を伝ってきた水２２は、毛細管現象を生じて電力量計用端子ブロック１０の底面に回りこむ可能性をはらんでいるが、距離Ｌ１が長手方向に配置された複数の電線挿入部１４の両端間の距離よりも長いため、回り込んだ先に電線挿入部１４は存在せず、絶縁抵抗の低下や事故等を防止することができる。
【００３０】
上述したように、電力量計用端子ブロック１０の対向面１７のうちの固定部１５以外の領域は、計器取付面２０から所定の距離離間して構成されているため、水２２が対向面１７及び底面を伝って電線挿入部１４に入り込みにくい構造となっているが、わずかに電力量計用端子ブロック１０の底面に回りこむ水２２も存在する。しかしながら、電力量計用端子ブロック１０は、防水用溝部１６を備えているので、当該底面に回りこむ水２２を遮断し、電線挿入部１４に水２２が達するのを防止する。図２に示すように、計器取付面２０に付着した水２０の大部分は、ブリッジ形状の凹部にあたる対向面１７と計器取付面２０との間の空間を通り、自重により下方に抜けていくが、わずかに底面に回りこむ水２２も防水用溝部１６により電線挿入部１４が設けられた領域に伝うのを遮られ、当該防水用溝部１６の淵において下方に落下することとなる。
【００３１】
上述したように、防水用溝部１６は、必ずしも直線とは限らず例えばジグザグ型の形状を構成するものでもよく、複数の電線挿入部１４と対向面１７の最下部１８との間に形成され、水２２が底面を伝って電線挿入部１４に流れ込むのを防止する位置にあればよい。
【００３２】
また、防水用溝部１６は、長手方向における幅Ｌ２が２つの固定部１５の間の距離Ｌ１よりも長くなるように構成されているので、対向面１７を伝って２つの固定部１５の間の領域から底面に回りこむ水２２を漏らさず遮断して水切りを行う。
【００３３】
上述のとおり、本発明の実施例１の形態に係る電力量計用端子ブロック１０によれば、電力量計用端子ブロック１０に対してプラスチック材料による低コスト及びデザイン性付与を可能にするとともに、電線挿入部１４に対する防水性を確保することができる。すなわち、本発明の電力量計用端子ブロック１０は、金属材料による従来のガード部を必要とせずに、自身の構造のみにより計器取付面２０側からの浸水を防止することができ、低コストで製作することができるとともに、デザイン性を付与することも可能となる。また、電力量計として組立状態にした際に、筐体に従来のベースのガード部のように凸部が必要ないため、取り扱いが容易であるという利点も有する。
【００３４】
また、本実施例の電力量計用端子ブロック１０は、対向面１７の水平方向両端に設けられた２つの固定部１５により全体としてブリッジ形状を形成しているので、ブリッジの足部分に該当する２つの固定部１５により計器取付面２０に対する固定を確実に行うことができるとともに、ブリッジの凹部に該当する計器取付面２０と電力量計用端子ブロック１０の対向面１７との間の空間から水を下方に流出させやすい。当然のことながら、ブリッジ形状に限らず４本足のテーブルのような形状を採用した場合においても、電力量計用端子ブロックの対向面１７のうちの固定部１５（この場合４本足の部分）以外の部分の領域が計器取付面２０から所定の距離離間して構成されていれば、同様の効果を得ることができる。
【００３５】
さらに、２つの固定部１５の間の距離Ｌ１は、電力量計用端子ブロック１０の底部において長手方向に配置された複数の電線挿入部１４の両端間の距離よりも長くなるように構成されているので、複数の電線挿入部１４に対する水２２の回り込みを防止することができる。
【００３６】
また、電力量計用端子ブロック１０は、防水用溝部１６を備えているので、当該底面に回りこむ水２２を遮断し、電線挿入部１４に水２２が達するのを防止することができる。その際に、防水用溝部１６の長手方向における幅Ｌ２を２つの固定部１５の間の距離Ｌ１よりも長くなるように構成することにより、対向面１７を伝って２つの固定部１５の間の領域から底面に回りこむ水２２を漏らさず遮断して水切りを行うことができる。
【産業上の利用可能性】
【００３７】
本発明に係る電力量計用端子ブロックは、被測定系の使用電力量を測定するために壁面に固定された電力量計に利用可能である。
【図面の簡単な説明】
【００３８】
【図１】本発明の実施例１の形態の電力量計用端子ブロックの構成を示す三面図である。
【図２】本発明の実施例１の形態の電力量計用端子ブロックの断面図である。
【図３】本発明の実施例１の形態の電力量計用端子ブロックに電力量計本体を取り付けた場合の正面図である。
【図４】従来の電力量計の構成を示す三面図である。
【図５】従来の電力量計用端子ブロックの断面図である。
【符号の説明】
【００３９】
１      電力量計本体
２      端子ブロック
３      ガード部
４      計器取付面
５      電線挿入部
１０    端子ブロック
１２    固定用穴
１４    電線挿入部
１５    固定部
１６    防水用溝部
１７    対向面
１８    対向面最下部
２０    計器取付面
２２    水
３０    電力量計本体
【図１】
0005252974.tif 000002
【図２】
0005252974.tif 000003
【図３】
0005252974.tif 000004
【図４】
0005252974.tif 000005
【図５】
0005252974.tif 000006